【手続補正書】
【提出日】平成25年2月7日(2013.2.7)
【手続補正１】
【補正対象書類名】特許請求の範囲
【補正対象項目名】全文
【補正方法】変更
【補正の内容】
【特許請求の範囲】
【請求項１】
画素列を複数有する画素領域と、
前記複数の画素列からの信号を保持する保持部を複数有するラインメモリと、
前記ラインメモリからの信号が出力される第１及び第２の共通信号線と、
前記ラインメモリと前記第１の共通信号線との間の信号経路に配され、奇数画素列もしくは偶数画素列の一方からの信号を保持した前記保持部からの信号が読み出される第１のブロック配線と、
前記ラインメモリと前記第２の共通信号線との間の信号経路に配され、奇数画素列もしくは偶数画素列の他方からの信号を保持した前記保持部からの信号が読み出される第２のブロック配線と、
各々が、前記保持部と前記第１のブロック配線との電気的導通を制御する複数の第１のスイッチと、
各々が、前記保持部と前記第２のブロック配線との電気的導通を制御する複数の第２のスイッチと、
各々が、前記第１のスイッチの導通を制御する駆動パルスを供給する複数の第１の制御配線と、
各々が、前記第２のスイッチの導通を制御する駆動パルスを供給する複数の第２の制御配線と、
各々が、前記第１のブロック配線からの信号を前記第１の共通信号線へ伝達する複数の第１の引き出し配線と、
各々が、前記第２のブロック配線からの信号を前記第２の共通信号線へ伝達する複数の第２の引き出し配線と、
前記第１及び第２の制御配線に駆動パルスを供給する走査部と、を有する固体撮像装置において、
前記走査部の走査方向に、前記複数の第２の制御配線のうちの一の第２の制御配線、前記複数の第１の引き出し配線のうちの一の第１の引き出し配線、前記複数の第１の制御配線のうちの一の第１の制御配線、前記複数の第２の引き出し配線のうちの一の第２の引き出し配線、前記一の第２の制御配線とは別の二の第２の制御配線がこの順に隣接して配置されていることを特徴とする固体撮像装置。
【請求項２】
前記第１及び第２の共通信号線の電位をリセットするリセット部を有することを特徴とする請求項１に記載の固体撮像装置。
【請求項３】
前記ラインメモリは、ノイズ信号が重畳した光信号を保持する複数の保持部と、ノイズ信号を保持する複数の保持部とを有することを特徴とする請求項１又は２のいずれかに記載の固体撮像装置。
【請求項４】
前記光信号を保持する保持部に対応する前記第１のスイッチに駆動パルスを供給する前記第１の制御配線と、前記ノイズ信号を保持する保持部に対応する前記第１のスイッチに駆動パルスを供給する前記第１の制御配線とが、同一配線により構成され、
前記光信号を保持する保持部に対応する前記第２のスイッチに駆動パルスを供給する前記第２の制御配線と、前記ノイズ信号を保持する保持部に対応する前記第２のスイッチに駆動パルスを供給する前記第２の制御配線とが、同一配線により構成されていることを特徴とする請求項３に記載の固体撮像装置。
【請求項５】
画素列を複数有する画素領域と、
前記複数の画素列からの、ノイズ信号が重畳した光信号を各々が保持する複数の保持部と、前記複数の画素列からのノイズ信号を各々が保持する複数の保持部と、をそれぞれ有するラインメモリと、
前記ラインメモリからの信号が出力される第１及び第２の共通信号線と、
奇数画素列もしくは偶数画素列の一方からの光信号を保持した前記保持部からの信号が読み出される一の第１のブロック配線と、
奇数画素列もしくは偶数画素列の前記一方からのノイズ信号を保持した前記保持部からの信号が読み出される、前記一の第１のブロック配線とは別の二の第１のブロック配線と、
奇数画素列もしくは偶数画素列の他方からの光信号を保持した前記保持部からの信号が読み出される一の第２のブロック配線と、
奇数画素列もしくは偶数画素列の前記他方からのノイズ信号を保持した前記保持部からの信号が読み出される、前記一の第２のブロック配線とは別の二の第２のブロック配線と、
各々が、前記保持部と前記一の第１のブロック配線との電気的導通および前記保持部と前記二の第１のブロック配線との電気的導通を制御する複数の第１のスイッチと、
各々が、前記保持部と前記一の第２のブロック配線との電気的導通および前記保持部と前記二の第２のブロック配線との電気的導通を制御する複数の第２のスイッチと、
各々が、前記第１のスイッチの導通を制御する駆動パルスを供給する複数の第１の制御配線と、
各々が、前記第２のスイッチの導通を制御する駆動パルスを供給する複数の第２の制御配線と、
前記一の第１のブロック配線からの信号を前記第１の共通信号線へ伝達する一の第１の引き出し配線と、
前記二の第１のブロック配線からの信号を前記第１の共通信号線へ伝達する、前記一の第１の引き出し配線とは別の二の第１の引き出し配線と、
前記第２のブロック配線からの信号を前記第２の共通信号線へ伝達する一の第２の引き出し配線と、
前記二の第２のブロック配線からの信号を前記第２の共通信号線へ伝達する、前記一の第２の引き出し配線とは別の二の第２の引き出し配線と、
前記複数の第１の制御配線と前記複数の第２の制御配線の各々に駆動パルスを供給する走査部と、を有する固体撮像装置において、
前記走査部の走査方向に、一の前記第２の制御配線、前記一の第１の引き出し配線、一の前記第１の制御配線、前記一の第２の引き出し配線、前記一の第２の制御配線とは別の二の第２の制御配線、前記二の第１の引き出し配線、前記一の第１の制御配線とは別の二の第１の制御配線、前記二の第２の引き出し配線、前記一および二の第２の制御配線とは別の三の第２の制御配線がこの順に配置されていることを特徴とする固体撮像装置。
【請求項６】
前記光信号を保持する保持部に対応する前記第１のスイッチに駆動パルスを供給する前記一の第１の制御配線と、前記ノイズ信号を保持する保持部に対応する前記第１のスイッチに駆動パルスを供給する前記二の第１の制御配線と、が同一配線であり、
前記光信号を保持する保持部に対応する前記第２のスイッチに駆動パルスを供給する前記一の第２の制御配線と、前記ノイズ信号を保持する保持部に対応する前記第２のスイッチに駆動パルスを供給する前記二の第２の制御配線と、が同一配線であることを特徴とする請求項５に記載の固体撮像装置。
【請求項７】
前記第１及び第２の共通信号線の電位をリセットするリセット部を有することを特徴とする請求項５または６に記載の固体撮像装置。
【請求項８】
前記第１の共通信号線が、前記一の第１の引き出し配線と対応する、一の第１の共通信号線と、前記二の第１の引き出し配線と対応する、二の第１の共通信号線と、を含み、
前記第２の共通信号線が、前記一の第２の引き出し配線と対応する、一の第２の共通信号線と、前記二の第２の引き出し配線と対応する、二の第２の共通信号線と、を含み、
前記一の第１の共通信号線の電位と、前記二の第１の共通信号線と、前記一の第２の共通信号線、前記二の第２の共通信号線の電位をそれぞれリセットするリセット部を有することを特徴とする請求項５〜７のいずれか１項に記載の固体撮像装置。
【請求項９】
前記第１及び第２の引き出し配線は、前記第１及び第２のブロック配線の延在する方向の中央部において前記第１及び第２のブロック配線と接続されていることを特徴とする請求項１〜８のいずれか１項に記載の固体撮像装置。
【請求項１０】
前記第１のブロック配線を各々が有する複数のブロックと、
前記第２のブロック配線を各々が有する複数のブロックと、
を有することを特徴とする請求項１〜９のいずれか１項に記載の固体撮像装置。
【請求項１１】
請求項１〜１０のいずれか１項に記載の固体撮像装置の駆動方法であって、
前記走査部の走査方向に平行な方向に沿って、前記第１の引き出し配線を介して隣接する、前記第２の制御配線及び前記第１の制御配線において、当該第２の制御配線に供給される駆動パルスの立ち下り期間の一部と当該第１の制御配線に供給されるパルスの立ち上がり期間の一部とが重なっており、
前記走査部の走査方向に平行な方向に沿って、前記第２の引き出し配線を間に介して隣接する、前記第１の制御配線及び前記第２の制御配線において、当該第１の制御配線に供給される駆動パルスの立ち下り期間の一部と当該第２の制御配線に供給される駆動パルスの立ち上がり期間の一部とが重なっていることを特徴とする固体撮像装置の駆動方法。
【請求項１２】
請求項１〜１０のいずれか１項に記載の固体撮像装置の駆動方法であって、
前記第１の制御配線に供給される駆動パルスのハイレベルの期間と前記第２の制御配線に供給される駆動パルスのハイレベルの期間とが重なっていることを特徴とする固体撮像装置の駆動方法。
【請求項１３】
請求項２に記載の固体撮像装置の駆動方法であって、
前記第１の共通信号線のリセット期間に、前記第２の共通信号線の信号読み出し期間が重なっていることを特徴とする固体撮像装置の駆動方法。
【請求項１４】
請求項８に記載の固体撮像装置の駆動方法であって、
前記一の第１の共通信号線のリセット期間と、前記二の第１の共通信号線のリセット期間と、前記一の第２の共通信号線の信号読み出し期間と、前記二の第２の共通信号線の信号読み出し期間と、が重なっていることを特徴とする固体撮像装置の駆動方法。